【手続補正書】
【提出日】平成20年10月1日(2008.10.1)
【手続補正１】
【補正対象書類名】特許請求の範囲
【補正対象項目名】請求項１
【補正方法】変更
【補正の内容】
【請求項１】
ビデオデータを取得するビデオデータ取得部と、
前記ビデオデータの１フィールド又は１フレームの期間の整数倍の処理期間による、前記ビデオデータの１フィールド又は１フレームのデータ処理を繰り返す処理部とを有する画像処理装置において、
前記処理部は、
前記処理期間における経過時間を計測するタイマと、
前記１フィールド又は１フレームのビデオデータをデータ処理するデータ処理部とを有し、
前記データ処理部は、
前記ビデオデータによる画像の中央から周辺に向かう順序により、データ処理単位毎に、前記ビデオデータをデータ処理し、
前記タイマで計測する経過時間により、前記処理期間内で、前記１フィールド又は１フレームのビデオデータのデータ処理が完了しない場合、前記処理期間で、前記１フィールド又は１フレームのビデオデータのデータ処理を打ち切る
ことを特徴とする画像処理装置。
【手続補正２】
【補正対象書類名】特許請求の範囲
【補正対象項目名】請求項６
【補正方法】変更
【補正の内容】
【請求項６】
ビデオデータの１フィールド又は１フレームの期間の整数倍の処理期間による、前記ビデオデータの１フィールド又は１フレームのデータ処理を繰り返す画像処理方法において、
前記処理期間における経過時間を計測する時間計測のステップと、
前記１フィールド又は１フレームのビデオデータをデータ処理するデータ処理のステップとを有し、
前記データ処理のステップは、
前記ビデオデータによる画像の中央から周辺に向かう順序により、データ処理単位毎に、前記ビデオデータをデータ処理し、
前記時間計測のステップで計測される経過時間により、前記処理期間内で、前記１フィールド又は１フレームのビデオデータのデータ処理が完了しない場合、前記処理期間で、前記１フィールド又は１フレームのビデオデータのデータ処理を打ち切る
ことを特徴とする画像処理方法。
【手続補正３】
【補正対象書類名】特許請求の範囲
【補正対象項目名】請求項７
【補正方法】変更
【補正の内容】
【請求項７】
演算処理手段による実行により、ビデオデータの１フィールド又は１フレームの期間の整数倍の処理期間による、前記ビデオデータの１フィールド又は１フレームのデータ処理を繰り返す画像処理方法のプログラムにおいて、
前記処理期間における経過時間を計測する時間計測のステップと、
前記１フィールド又は１フレームのビデオデータをデータ処理するデータ処理のステップとを有し、
前記データ処理のステップは、
前記ビデオデータによる画像の中央から周辺に向かう順序により、データ処理単位毎に、前記ビデオデータをデータ処理し、
前記時間計測のステップで計測される経過時間により、前記処理期間内で、前記１フィールド又は１フレームのビデオデータのデータ処理が完了しない場合、前記処理期間で、前記１フィールド又は１フレームのビデオデータのデータ処理を打ち切る
ことを特徴とする画像処理方法のプログラム。
【手続補正４】
【補正対象書類名】特許請求の範囲
【補正対象項目名】請求項８
【補正方法】変更
【補正の内容】
【請求項８】
演算処理手段による実行により、ビデオデータの１フィールド又は１フレームの期間の整数倍の処理期間による、前記ビデオデータの１フィールド又は１フレームのデータ処理を繰り返す画像処理方法のプログラムを記録した記録媒体において、
前記画像処理方法のプログラムは、
前記処理期間における経過時間を計測する時間計測のステップと、
前記１フィールド又は１フレームのビデオデータをデータ処理するデータ処理のステップとを有し、
前記データ処理のステップは、
前記ビデオデータによる画像の中央から周辺に向かう順序により、データ処理単位毎に、前記ビデオデータをデータ処理し、
前記時間計測のステップで計測される経過時間により、前記処理期間内で、前記１フィールド又は１フレームのビデオデータのデータ処理が完了しない場合、前記処理期間で、前記１フィールド又は１フレームのビデオデータのデータ処理を打ち切る
ことを特徴とする画像処理方法のプログラムを記録した記録媒体。
【手続補正５】
【補正対象書類名】明細書
【補正対象項目名】発明の名称
【補正方法】変更
【補正の内容】
【発明の名称】画像処理装置、画像処理方法、画像処理方法のプログラム及び画像処理方法のプログラムを記録した記録媒体
【手続補正６】
【補正対象書類名】明細書
【補正対象項目名】０００１
【補正方法】変更
【補正の内容】
【０００１】
本発明は、画像処理装置、画像処理方法、画像処理方法のプログラム及び画像処理方法のプログラムを記録した記録媒体に関し、例えばビデオカメラ、チュナー、ＤＶＤ（Digital Versatile Disk）レコーダ等に適用することができる。本発明は、画面の中央から周辺に向かう順序により順次ビデオデータを処理するようにして、処理が間に合わないときには、途中で処理を打ち切ることにより、ビデオデータをリアルタイム処理する場合に、従来に比して構成を簡略化し、消費電力を低減する。
【手続補正７】
【補正対象書類名】明細書
【補正対象項目名】０００８
【補正方法】変更
【補正の内容】
【０００８】
本発明は以上の点を考慮してなされたもので、ビデオデータをリアルタイム処理する場合に、従来に比して構成を簡略化し、消費電力を低減することができる画像処理装置、画像処理方法、画像処理方法のプログラム及び画像処理方法のプログラムを記録した記録媒体を提案しようとするものである。
【手続補正８】
【補正対象書類名】明細書
【補正対象項目名】０００９
【補正方法】変更
【補正の内容】
【０００９】
かかる課題を解決するため請求項１の発明は、ビデオデータを取得するビデオデータ取得部と、前記ビデオデータの１フィールド又は１フレームの期間の整数倍の処理期間による、前記ビデオデータの１フィールド又は１フレームのデータ処理を繰り返す処理部とを有する画像処理装置に適用して、前記処理部は、前記処理期間における経過時間を計測するタイマと、前記１フィールド又は１フレームのビデオデータをデータ処理するデータ処理部とを有し、前記データ処理部は、前記ビデオデータによる画像の中央から周辺に向かう順序により、データ処理単位毎に、前記ビデオデータをデータ処理し、前記タイマで計測する経過時間により、前記処理期間内で、前記１フィールド又は１フレームのビデオデータのデータ処理が完了しない場合、前記処理期間で、前記１フィールド又は１フレームのビデオデータのデータ処理を打ち切る。
【手続補正９】
【補正対象書類名】明細書
【補正対象項目名】００１０
【補正方法】変更
【補正の内容】
【００１０】
また請求項６の発明は、ビデオデータの１フィールド又は１フレームの期間の整数倍の処理期間による、前記ビデオデータの１フィールド又は１フレームのデータ処理を繰り返す画像処理方法に適用して、前記処理期間における経過時間を計測する時間計測のステップと、前記１フィールド又は１フレームのビデオデータをデータ処理するデータ処理のステップとを有し、前記データ処理のステップは、前記ビデオデータによる画像の中央から周辺に向かう順序により、データ処理単位毎に、前記ビデオデータをデータ処理し、前記時間計測のステップで計測される経過時間により、前記処理期間内で、前記１フィールド又は１フレームのビデオデータのデータ処理が完了しない場合、前記処理期間で、前記１フィールド又は１フレームのビデオデータのデータ処理を打ち切る。
【手続補正１０】
【補正対象書類名】明細書
【補正対象項目名】００１１
【補正方法】変更
【補正の内容】
【００１１】
また請求項７の発明は、演算処理手段による実行により、ビデオデータの１フィールド又は１フレームの期間の整数倍の処理期間による、前記ビデオデータの１フィールド又は１フレームのデータ処理を繰り返す画像処理方法のプログラムに適用して、前記処理期間における経過時間を計測する時間計測のステップと、前記１フィールド又は１フレームのビデオデータをデータ処理するデータ処理のステップとを有し、前記データ処理のステップは、前記ビデオデータによる画像の中央から周辺に向かう順序により、データ処理単位毎に、前記ビデオデータをデータ処理し、前記時間計測のステップで計測される経過時間により、前記処理期間内で、前記１フィールド又は１フレームのビデオデータのデータ処理が完了しない場合、前記処理期間で、前記１フィールド又は１フレームのビデオデータのデータ処理を打ち切る。
【手続補正１１】
【補正対象書類名】明細書
【補正対象項目名】００１２
【補正方法】変更
【補正の内容】
【００１２】
また請求項８の発明は、演算処理手段による実行により、ビデオデータの１フィールド又は１フレームの期間の整数倍の処理期間による、前記ビデオデータの１フィールド又は１フレームのデータ処理を繰り返す画像処理方法のプログラムを記録した記録媒体に適用して、前記画像処理方法のプログラムは、前記処理期間における経過時間を計測する時間計測のステップと、前記１フィールド又は１フレームのビデオデータをデータ処理するデータ処理のステップとを有し、前記データ処理のステップは、前記ビデオデータによる画像の中央から周辺に向かう順序により、データ処理単位毎に、前記ビデオデータをデータ処理し、前記時間計測のステップで計測される経過時間により、前記処理期間内で、前記１フィールド又は１フレームのビデオデータのデータ処理が完了しない場合、前記処理期間で、前記１フィールド又は１フレームのビデオデータのデータ処理を打ち切る。
【手続補正１２】
【補正対象書類名】明細書
【補正対象項目名】００１３
【補正方法】変更
【補正の内容】
【００１３】
請求項１の構成により、ビデオデータを取得するビデオデータ取得部と、前記ビデオデータの１フィールド又は１フレームの期間の整数倍の処理期間による、前記ビデオデータの１フィールド又は１フレームのデータ処理を繰り返す処理部とを有する画像処理装置に適用して、前記処理部は、前記処理期間における経過時間を計測するタイマと、前記１フィールド又は１フレームのビデオデータをデータ処理するデータ処理部とを有し、前記データ処理部は、前記ビデオデータによる画像の中央から周辺に向かう順序により、データ処理単位毎に、前記ビデオデータをデータ処理し、前記タイマで計測する経過時間により、前記処理期間内で、前記１フィールド又は１フレームのビデオデータのデータ処理が完了しない場合、前記処理期間で、前記１フィールド又は１フレームのビデオデータのデータ処理を打ち切れば、ビデオデータの１フィールド又は１フレームの期間の整数倍の処理期間による、前記ビデオデータの１フィールド又は１フレームのデータ処理を繰り返すリアルタイム処理において、処理が間に合わないときには、重要度の低い周辺部分の処理を省略して処理期間で処理を完了することにより、その分、従来に比して構成を簡略化し、消費電力を低減することができる。
【手続補正１３】
【補正対象書類名】明細書
【補正対象項目名】００１４
【補正方法】変更
【補正の内容】
【００１４】
これにより請求項６、請求項７、請求項８の構成によれば、従来に比して構成を簡略化し、消費電力を低減することができる画像処理方法、画像処理方法のプログラム及び画像処理方法のプログラムを記録した記録媒体を提供することができる。